(57)【要約】【課題】  足指及び前足裏部分を覆うことができ、穿いている靴に便利に合わせられ、且つ優れた快適性及び脚部を保護する効果のある足先用靴下の改良構造を提供する。【解決手段】  下敷１０と弾性滑り止めゴム層２０とからなり、下敷１０は少なくとも人体の足裏前部の形状であり、脚部前端を覆うことができ、弾性滑り止めゴム層２０は、柔らかい材質で、滑り止め且つ震動を吸収するゴム層となり、また、弾性滑り止めゴム層２０は下敷１０と同じか或いは少し小さめの形状であり、且つ下敷１０底部に固定して付着することができる。【選択図】  図１ 
0003108730.tif 000002
【実用新案登録請求の範囲】
【請求項１】
下敷と、弾性滑り止めゴム層とからなり、
前記下敷は、少なくとも人体の足裏前部の形状であり、脚部前端を覆うことができ、前
記弾性滑り止めゴム層は、柔らかい材質で、滑り止め且つ震動を吸収するゴム層となり、
また、弾性滑り止めゴム層は下敷と同じか或いは少し小さめの形状であり、且つ前記下
敷の底部に固定して付着することができることを特徴とする足先用靴下の改良構造。
【請求項２】
前記弾性滑り止めゴム層は、ゴム膜で覆われ、前記ゴム膜に前記弾性滑り止めゴム
層の周囲で凸翼を形成させ、前記凸翼が覆うことで、前記弾性滑り止めゴム層を車縫いして前記下敷底部に固定させることができることを特徴とする請求項１記載の足先用靴下の改良構造。
【考案の詳細な説明】
【技術分野】
【０００１】
本考案は、足先用靴下の改良構造に関するもので、特に足指及び前足裏部分を覆うことができ、穿いている靴に合わせられ、且つ優れた快適性及び脚部を保護する効果のある靴下の構造に関するものである。
【背景技術】
【０００２】
一般的に女性は、ハイヒール、サンダル、及び足先を包む靴等を穿く時に、必要に応じてパンティストッキングを穿くが、これにより全体の美観と足部の衛生を保つことができるが、雨天或いは夏の暑さの状況下では、湿って粘りつく蒸し暑い不快感を避けるために使用者はパンティストッキングを穿くのをやめ、裸足で直接靴を穿いて、灼熱の気候によって起こる不快感は避けてきたが、下記のような欠点をもたらすことになった。
１  裸足で直接靴を穿くと、足指部分は、靴の先端部分（特に足先を覆う革靴類）が低いので、皮革の顔料、繊維等の染みが足指部に付着し、指や指の間の汚れをもたらす。
２  夏にパンティストッキングを穿かず、裸足で直接靴を穿くと、すね部は比較的涼しいが、足部（特に足指及び前足裏部分）は蒸れて汗をかき、足指と靴の間がべたべたし、衛生上の問題をもたらす。
３  靴を穿いて歩くと、足の指先部分と靴の直接摩擦を避けることはできないので、裸足で直接靴を穿くと、足の指先は摩擦により皮が剥けて痛くなり易い。
【０００３】
上述の欠点は、使用者が裸足で直接靴を穿くことで起こるので、当然ながら、使用者が巷でよく見る短い靴下或いは膝下ストッキングを穿けば、上述のような欠点が起こるのを避けられる。しかし、たくさんの服装を組み合わせる中で、短い靴下や膝下ストッキングを穿くことが合わないこともあり、例えばミニスカートを着てサンダルを穿く時、一般的に膝下ストッキングは合わない。更に、靴下を穿いて歩くと、足底と靴下の布地が摩擦して、使用者に不快感を与えたり、足裏部分が摩擦してたこやひび割れが出来たりする。また、一般の靴下の場合、一枚の布地で縫製され作られているので、使用者が穿いて歩くと、靴下本体が足裏を保護することが出来る震動を減らす作用を持つことはなく、靴下の功能は、ただ穿くことのみである。これにより、本考案の考案者は上述の欠点を改善するために、一心に研究設計を行い、多くの実験テストを経て、本考案を生み出した。
【考案の開示】
【考案が解決しようとする課題】
【０００４】
本考案の目的は、上述の多くの問題の解決において、足指及び前足裏部分を覆うことができ、穿いている靴に便利に合わせられ、且つ優れた快適性及び脚部を保護する効果のある靴下の構造を提供することである。  
【課題を解決するための手段】
【０００５】
上記の目的を達成するために使われた技術の手段及び構造の特徴は、図１から図７で示す実施例において詳細を下記に説明する。
【０００６】
図１で示すように、本考案は主に下敷と弾性滑り止めゴム層とからなる。
【０００７】
同時に図１、２、３で示すように、下敷は布地を車縫いしてなり、スポンジやポリウレタン等の材料を入れて挟む層を構成し、下敷は人体の足指及び足裏前部の形状と同じで、脚部前端を覆うことができる。且つ、本考案の下敷は、図１で示すような足先用靴下の形式以外に、また広範な各種形式を持つ。例えば、以下に示す通りである。
１  図４で示す下敷１０Ａの形式は、足指の出るサンダルやスリッパに適している。
２  図５で示す下敷１０Ｂの形式は、外反母趾を矯正する作用を提供するものである。
３  図６で示す下敷１０Ｃの形式は、足先を包む革靴やハイヒールに適している。
４  図７で示す下敷１０Ｄの形式は、直接足の親指と小指に引掛け、足裏前部の下に敷くことができる。
【０００８】
同時に、図１、２、３で示すように、弾性滑り止めゴム層は、柔らかい材質で、滑り
止め且つ震動を吸収するゴム層となり、また、弾性滑り止めゴム層は下敷と同じか或い
は少し小さめの形状であり、且つ下敷の底部に固定して付着することができる。弾性
滑り止めゴム層が下敷の底部に固定して付着できる方法は、以下の通りである。弾
性滑り止めゴム層はゴム膜で覆われ、ゴム膜に弾性滑り止めゴム層の周囲で凸翼を形成
させ、凸翼が覆うことで、弾性滑り止めゴム層を車縫いして下敷底部に固定させること
ができる。この外に、弾性滑り止めゴム層は、接着、高周波貼付け、或いはその他同等
の技術によって、弾性滑り止めゴム層を下敷底部に固定することができる。
【考案の効果】
【０００９】
本考案の足先用靴下の改良構造は、足指及び前足裏部分を覆うことができ、穿いている靴に便利に合わせられ、且つ優れた快適性及び脚部を保護する効果を得ることができる。
【考案を実施するための最良の形態】
【００１０】
以下、本考案の実施の形態を説明する。
【実施例】
【００１１】
図８で示すように、上述の構造により、使用者は足指及び足裏前部を下敷１０において覆うことができ、下敷１０は前足裏部分に対応して、下敷１０底部は弾性滑り止めゴム層２０となり、使用者が本考案の足先用靴下を穿いてハイヒール、サンダル、及び足先を包む革靴等を穿けば、足指部分を基本的に保護する以外に、下敷１０と弾性滑り止めゴム層２０の設計は、使用者が立ったり歩いたりする際の快適性を提供し、更にたこやひび割れが出来るのを防ぎ、その外に、弾性滑り止めゴム層２０の滑り止め及び震動を吸収する特性により、穿いた時に脚底が滑ることはなく、更に足裏前部に緩衝及び震動を吸収する作用が生まれ、脚部を保護することができる。
【００１２】
本考案では好適な実施形態を前述の通り開示したが、これらは決して本考案を限定するものではなく、当該技術を熟知するものなら誰でも、本考案の精神と領域を脱しない範囲内で各種の変動や潤色を加えることができる。従って本考案の保護の範囲は、実用新案登録請求の範囲で指定した内容を基準とする。
【図面の簡単な説明】
【００１３】
【図１】本考案の立体分解構造図である。
【図２】本考案の上面立体構造図である。
【図３】本考案の側面構造図である。
【図４】本考案の下敷のもう一つの実施形態である。（一）
【図５】本考案の下敷のもう一つの実施形態である。（二）
【図６】本考案の下敷のもう一つの実施形態である。（三）
【図７】本考案の下敷のもう一つの実施形態である。（四）
【図８】本考案の使用状態を示した図である。
【符号の説明】
【００１４】
１０    下敷
１０Ａ  下敷
１０Ｂ  下敷
１０Ｃ  下敷
１０Ｄ  下敷
２０    弾性滑り止めゴム層
２１    ゴム膜
【図１】
0003108730.tif 000003
【図２】
0003108730.tif 000004
【図３】
0003108730.tif 000005
【図４】
0003108730.tif 000006
【図５】
0003108730.tif 000007
【図６】
0003108730.tif 000008
【図７】
0003108730.tif 000009
【図８】
0003108730.tif 000010